(57)【要約】【課題】　回路規模を増大することなく、信頼性の高いデータ伝送を行う。【解決手段】　本発明のOFDM信号通信システムは、OFDM送信機１０とOFDM受信機１１とを備える。OFDM受信機１１は、OFDM送信機１０からのOFDM信号を受信するアンテナ１６と、受信したＲＦ信号をベースバンド信号に周波数変換する周波数変換器１７と、周波数変換器１７に局部発振信号を供給する局部発振器１８と、ベースバンド信号を標本化する標本化器１９と、標本化器１９の出力信号を用いて、キャリア周波数の誤差とタイミング誤差を検出する周波数誤差＆タイミング誤差推定器２０と、標本化器１９が出力する時間領域信号を周波数領域信号に変換する高速フーリエ変換器（ＦＦＴ）２１とを有する。周波数誤差＆タイミング誤差推定器２０は、OFDM信号のキャリア周波数の誤差とサンプリングタイミングの誤差を推定し、その推定結果を利用して、局部発振器１８とFFTを制御する。【選択図】　図１
2004112847.tif 000002
【特許請求の範囲】
【請求項１】
　所定の既知信号系列からなるパイロット信号が挿入されたOFDM（直交周波数分割多重）信号をアンテナにより受信する受信手段と、
　前記OFDM信号を復調するための基準信号である再生キャリア信号を生成する局部発振器と、
　前記再生キャリア信号に基づいて前記OFDM信号をベースバンド信号に変換する周波数変換器と、
　前記ベースバンド信号に基づいてＦＦＴ演算を行って周波数領域の受信データを生成するＦＦＴ演算手段と、を備えたOFDM信号通信システムであって、
　所定の周期で巡回する巡回系列の前記パイロット信号が挿入されたOFDM信号をアンテナを介して前記受信手段に向けて送信する送信手段を備えることを特徴とするOFDM信号通信システム。
【請求項２】
　前記送信手段は、前記パイロット信号を構成する時間領域での代表ベクトルに電力が等分配される前記巡回系列を用いて前記パイロット信号を構成することを特徴とする請求項１に記載のOFDM信号通信システム。
【発明の詳細な説明】
【技術分野】
【０００１】
　本発明は、直交配置された複数の搬送波（キャリア）信号で構成されるOFDM(Orthogonal Frequency Division Multiplexing)信号を用いてデータの送受信を行うOFDM信号通信システムに関する。
【背景技術】
【０００２】
　近年、音声や映像もしくはデータ等のディジタル情報を伝送するOFDM信号通信システムの開発が進められており、携帯電話等の移動体においてもディジタル通信が主流になりつつある。
【０００３】
　移動体通信では、ビル等の建築物やその他の反射物による複数の反射波（マルチパス）の影響を考慮する必要がある。つまり、受信点には、複数の送信局からの電波が到達する。このようなマルチパスの現象は、信号に歪みを生じさせ、受信品質を劣化させる大きな原因となる。
【０００４】
　また、マルチメディア情報等を扱うOFDM信号通信システムでは、多様な要求品質への対応が求められる。たとえば、小型な携帯情報端末を用いたマルチメディア・ディジタル通信では、任意の地点から網等に接続する移動通信の利便性を有しつつ、信頼性の高い信号伝送が必要となる。
【０００５】
　移動体通信に限らず、ディジタル通信では、送信機から伝送される情報を復元するために、周波数同期やタイミング同期を確立する必要がある。特に、移動体通信では、受信状態が変動するため、同期処理が不可欠であるが、同期を取るには、ある程度の時間を要する。同期がはずれた状態では、情報の復元は、不可能となるため、同期がはずれた場合の回復のためにも、高速な周波数同期およびタイミング同期が必要となる。
【０００６】
　マルチメディア情報等を扱うOFDM信号通信システムでは、伝送される信号がバースト的に発生するため、パケット通信に適している。パケット通信では、時分割多元接続（TDMA）のように一定の周期ではなくランダムにパケットが送信される。このため、パケット毎に同期を確立する必要があり、短い時間で同期を確立しなければならない。さらに、マルチメディア情報を取り扱う携帯情報端末では、小型化の観点から高精度発振器の使用が困難であるため、高性能のキャリア周波数同期法を適用する必要がある。
【０００７】
　ところで、マルチパス伝搬路における遅延波の影響を低減する有効な方法として、OFDM(Orthogonal Frequency Division Multiplexing)がある。OFDMは、伝送情報を分割して複数の低速なディジタル信号を生成し、その複数信号で直交関係にあるサブキャリアを独立に変調する方式である。マルチキャリアを用いた並列伝送によって、信号伝送速度を低くでき、さらに、OFDM特有のガード区間を設けることによって、単一キャリア変調方式と比べて遅延波の影響を低減することができる。
【０００８】
　以下にOFDM方式の概要について説明する。
【０００９】
　図２１は送信側に用いられるOFDM変調装置の構成を示すブロック図である。OFDM変調装置には、送信データが入力される。この送信データは、シリアル／パラレル変換部２０１に供給されて、低速な複数の伝送シンボルからなるデータに変換される。つまり、伝送情報を分割して、複数の低速なディジタル信号を生成する。このパラレルデータは、逆高速フーリエ変換（IFFT）部２０２に供給される。
【００１０】
　パラレルデータは、OFDMを構成する各サブキャリアに割り当てられ、周波数領域においてマッピングされる。ここで、各サブキャリアに対してBPSK、QPSK、16QAM、64QAM等の変調が施される。マッピングデータは、IFFT演算を施すことによって、周波数領域の送信データから時間領域の送信データに変換される。これにより、互いに直交する関係にある複数のサブキャリアがそれぞれ独立に変調されたマルチキャリア変調信号が生成される。IFFT部２０２の出力は、ガードインターバル付加部２０３に供給される。
【００１１】
　ガードインターバル付加部２０３は、図２２に示すように、伝送データの有効シンボルの後部をガードインターバルとして、伝送シンボル毎に有効シンボル期間の前部にコピーを付加する。このガードインターバル付加部で得られたベースバンド信号は、直交変調部２０４に供給される。
【００１２】
　直交変調部２０４は、ガードインターバル付加部２０３から供給されるベースバンドOFDM信号に対して、OFDM変調装置の局部発振器２０５から供給されるキャリア信号を用いて、直交変調を施し、中間周波数（ＩＦ）信号もしくは無線周波数（ＲＦ）信号に周波数変換する。すなわち、直交変調部は、ベースバンド信号を所望の伝送周波数帯域に周波数変換した後に伝送路に出力する。
【００１３】
　図２３は、受信側に用いられるOFDM復調装置の構成を示すブロック図である。OFDM復調装置には、図２１のOFDM変調装置によって生成されたOFDM信号が所定の伝送路を介して入力される。
【００１４】
　このOFDM復調装置に入力されたOFDM受信信号は、直交復調部２１１に供給される。直交復調部２１１は、OFDM受信信号に対して、OFDM復調装置の局部発振器２１２から供給されるキャリア信号を用いて直交復調を施し、ＲＦ信号もしくはＩＦ信号からベースバンド信号に周波数変換し、ベースバンドOFDM信号を得る。このOFDM信号は、ガードインターバル除去部２１３に供給される。
【００１５】
　ガードインターバル除去部２１３は、OFDM変調装置のガードインターバル付加部２０３で付加された信号を、図示しないシンボルタイミング同期部から供給されるタイミング信号に従って除去する。このガードインターバル除去部２０３で得られた信号は、高速フーリエ変換（ＦＦＴ）部２１４に供給される。
【００１６】
　ＦＦＴ部２１４は、入力される時間領域の受信データをＦＦＴすることによって周波数領域の受信データに変換する。さらに周波数領域においてデマッピングされ、各サブキャリア毎にパラレルデータが生成される。ここで、各サブキャリアに施されたBPSK、QPSK、16QAM、64QAM等の変調に対する復調がなされたことになる。ＦＦＴ部２１４で得られたパラレルデータは、パラレル／シリアル変換部２１５に供給されて、受信データとして出力される。
【００１７】
　以上説明したように、OFDM復調装置は、OFDM変調装置から伝送される情報を復元するために、キャリア周波数同期やタイミング周波数同期を確立する必要がある。
【００１８】
　OFDMでは、サブキャリア間隔が狭く、各サブキャリアが直交配置されているため、OFDM復調装置の局部発振器２１２から供給されるキャリア周波数とOFDM変調装置のキャリア周波数がずれている場合、すなわち、周波数オフセットが存在する場合には、サブキャリア間の直交性が崩れて受信特性が著しく劣化する。従って、OFDMでは、キャリア周波数同期の確立が極めて重要である。
【００１９】
　OFDMの周波数同期法に関しては、従来から知られている手法がある（非特許文献１）。
【非特許文献１】電子情報通信学会技術研究報告書RCS97−210（1998−01）の「高速無線ＬＡＮ用OFDM変調方式の同期系に関する検討」
【発明の開示】
【発明が解決しようとする課題】
【００２０】
　OFDMの同期法は、周波数領域での処理によるものと、時間領域での処理によるものに分類される。上記報告書に記載されている同期法は、時間領域での処理によるものである。この方式では、２つのOFDMシンボルを用い、その２つのパイロットシンボルに同一の信号を配置し、両者の相関演算によってキャリア周波数のずれおよびタイミングのずれを推定する。
【００２１】
　また、データシンボルを伝送する前に、初期位相を決定するスタートシンボルを別途送信して周波数誤差を推定する手法も知られている。ところが、この種の周波数誤差推定方法では、２シンボル以上のパイロットシンボルを伝送する必要があるため、伝送効率が低下してしまうという問題がある。
【００２２】
　伝送効率の向上のために、このスタートシンボルとパイロットシンボルとを兼ねることが可能であるが、この場合にも同期のために２シンボル以上のパイロットシンボルが必要となるという点は変わらないため、伝送効率が低下してしまうという問題点がある。
【００２３】
　一方、電子情報通信学会論文誌B-II Vol. J75-B-II,No.12,p884-895(1992年12月)には、複数の複素相関器を用いたキャリア周波数のオフセット推定法が開示 されている。この文献には、図２４に示す周波数オフセット検出・除去方式が提案されている。この文献は、TDMAスロットに付加されるトレーニング信号を用いたシングルキャリア変調方式を対象としており、複数設けられた相関器には、同一の参照系列が設定されて、相関器に入力される受信信号の周波数を変化させている。
【００２４】
　初期同期を高速化するには、ある程度の回路規模の増大は避けられないが、回路規模の増加は、製造コストの増加につながるため、回路規模は、極力低く抑えることが望ましい。しかしながら、上記文献の場合、複素相関器が複数必要となるため、回路規模が大きくなるという問題がある。
【００２５】
　本発明は、このような点に鑑みてなされたものであり、その目的は、回路規模を増大することなく、信頼性の高いデータ伝送を行うことができるOFDM信号通信システムを提供することにある。
【課題を解決するための手段】
【００２６】
　上記の目的を達成するため、本発明は、所定の既知信号系列からなるパイロット信号が挿入されたOFDM（直交周波数分割多重）信号をアンテナにより受信する受信手段と、前記OFDM信号を復調するための基準信号である再生キャリア信号を生成する局部発振器と、前記再生キャリア信号に基づいて前記OFDM信号をベースバンド信号に変換する周波数変換器と、前記ベースバンド信号に基づいてＦＦＴ演算を行って周波数領域の受信データを生成するＦＦＴ演算手段と、を備えたOFDM信号通信システムであって、所定の周期で巡回する巡回系列の前記パイロット信号が挿入されたOFDM信号をアンテナを介して前記受信手段に向けて送信する送信手段を備える。
【発明の効果】
【００２７】
　本発明によれば、受信したパイロット信号と、パイロット信号に対してそれぞれ異なる周波数オフセットが設定された参照信号との間で複素相関演算を行った結果に基づいて、再生キャリア信号の周波数を制御するため、受信フレームの同期確立を迅速に行うことができ、安定した信頼性の高い信号伝送およびその受信が可能となる。また、複素相関演算手段の内部の構成を簡略化できるため、回路規模の増大を抑制でき、それに伴って製造コストを削減できる。
【発明を実施するための最良の形態】
【００２８】
　以下、本発明に係るOFDM信号通信システムについて、図面を参照しながら具体的に説明する。
【００２９】
　図１は、本発明に係るOFDM信号受信装置を備えたOFDM信号通信システムの一実施形態のブロック図である。図示のOFDM信号通信システムは、前述したOFDM信号を送受信するものであり、OFDM送信機１０と、OFDM受信機１１とで構成される。図１には、OFDM信号通信システムの構成要素の一部のみが示されている。
【００３０】
　OFDM送信機（送信手段）１０は、周波数領域でマッピングされた伝送信号を時間領域の信号に変換する逆高速フーリエ変換器（ＩＦＦＴ）１２と、時間領域の信号をＲＦ信号に周波数変換する周波数変換器１３と、周波数変換器１３に正弦波のキャリア信号（局部発振信号）を供給する局部発振器１４と、ＲＦ信号を電波として伝搬路に放射するアンテナ１５とを有する。
【００３１】
　OFDM受信機１１は、送信機１０から送信されて無線伝搬路を経て到達したOFDM信号を受信するアンテナ（受信手段）１６と、アンテナ１６で受信したＲＦ信号をベースバンド信号に周波数変換する周波数変換器１７と、周波数変換器１７に正弦波の局部発振信号を供給する局部発振器１８と、受信したベースバンド信号を標本化する標本化器（標本化手段）１９と、標本化器１９の出力信号を用いて、周波数オフセットおよびタイミングオフセットを検出する周波数誤差＆タイミング誤差推定器（誤差推定手段）２０と、標本化器１９が出力する時間領域信号を周波数領域信号に変換する高速フーリエ変換器（ＦＦＴ、ＦＦＴ演算手段）２１とを有する。
【００３２】
　なお、図１では、簡略化のため、図２２で説明したガードインターバル付加部やガードインターバル除去部を省略している。
【００３３】
　図２はOFDM送信機１０から送信されるOFDM信号のバーストフレームのデータ構成を示す図である。バーストフレームには、既知信号系列が伝送されるパイロットシンボル（パイロット信号）が含まれている。マルチメディア情報を扱うOFDM信号通信システムでは、伝送される信号がバースト的に発生する。このため、バーストフレーム毎に同期を確立する必要がある。図２では、１シンボルのパイロットシンボルが図示されているが、１シンボル以上のパイロットシンボル（パイロット信号）が付加されていても構わない。
【００３４】
　OFDM信号に対して同期検波を行うためには、受信機が絶対位相を把握できるように、既知信号を送信する必要がある。また、差動検波を行うためには、スタートシンボルを伝送しなければならない。本実施形態では、OFDM信号のバーストフレーム構成として、１シンボル以上のパイロットシンボルを付加する。このため、周波数同期用のパイロットシンボルと、同期検波のための既知信号や差動検波のためのスタートシンボルとを兼ねることが可能となり、伝送効率の劣化を防ぐことができる。
【００３５】
　図１に示す周波数誤差＆タイミング誤差推定器２０は、標本化器１９が出力する信号を用いて、パイロットシンボルにおいて伝送される信号と受信信号とのスライディング相関演算で得られる信号によって周波数誤差とタイミング誤差を検出する。
【００３６】
　周波数誤差＆タイミング誤差推定器２０から出力されるキャリア周波数誤差情報は、局部発振器１８に供給される。局部発振器１８は、入力されたキャリア周波数誤差情報を元に再生キャリア信号（局部発振信号）の発振周波数を変更する。周波数誤差＆タイミング誤差推定器２０から出力されるタイミング誤差情報は、ＦＦＴ２１に供給される。ＦＦＴ２１は、タイミング誤差情報を元にＦＦＴウインドウを決定する。
【００３７】
　このように、本実施形態では、OFDM受信信号中のパイロットシンボルにおける時間領域の信号を利用して、キャリア周波数のずれの推定とサンプリングのタイミングのずれの推定とを行ない、キャリア周波数の同期捕捉とサンプリングタイミングの同期捕捉とを行う。なお、本実施形態の動作の詳細については、後述する。
【００３８】
　図３は図１に示した周波数誤差＆タイミング誤差推定器２０の内部構成を示すブロック図である。図３に示すように、周波数誤差＆タイミング誤差推定器２０は、標本化器１９が出力した信号を、標本化器１９に入力される標本化クロックでシフトするシフトレジスタ（第１の信号シフト手段）３０と、複数の複素相関器（複素相関演算手段）３１〜３３と、複素相関器３１〜３３が出力した信号の最大値（周波数誤差の最大値信号と相関出力の最大値信号）を検出する最大値検出部（第１の最大値検索手段）３４と、最大値検出部３４が出力した信号を、標本化器１９に入力される標本化クロックでシフトするシフトレジスタ３５と、シフトレジスタ３５の出力（最大値検出部３４の出力をシフトした信号）の最大値を検出する最大値検出部（第２の最大値検索手段）３６とを有する。
【００３９】
　周波数誤差＆タイミング誤差推定器２０は、複数の複素相関器３１〜３３を有し、各複素相関器３１〜３３には、それぞれ異なる参照系列が３７〜３９が設定される。各複素相関器３１〜３３は、シフトレジスタ３０の各段の出力信号と参照系列とを乗算する複素乗算器（複素乗算手段）４０と、複素乗算器４０の出力を加算する加算器４１とを有する。複素相関器３１〜３３に設定される参照系列３７〜３９は、パイロットシンボルにおいて伝送される信号に対して異なる周波数オフセットを与えた信号である。参照系列の詳細については後述する。
【００４０】
　次に、サンプリングタイミングのずれとキャリア周波数のずれの検出方法について説明する。説明を簡略化するため、キャリア信号成分を除去した等価低減におけるOFDM信号を取り扱う。等価低減におけるOFDM送信信号s(t)は、（１）式で表すことができる。
【数１】
2004112847.tif 000003
【００４１】
　（１）式において、ＮsはOFDM信号を構成するサブキャリアの数、ＮはＦＦＴ のポイント数、ｕはシンボル番号、ｖはサブキャリア数である。また、ｘuvは送信する符号であり、QPSKの場合には、（２）式で表される。
【数２】
2004112847.tif 000004
【００４２】
　（２）式において、Ａuvは振幅であり、ヌルサブキャリアの場合には、Ａuv＝０である。また、（１）式において、ｇuv（ｔ）は、第ｕシンボルおよび第ｖシンボルにおけるOFDMの孤立パルス応答であり、（３）式で表される。
【数３】
2004112847.tif 000005
【００４３】
　（３）式において、ｆvは第ｖサブキャリア周波数、Ｔgはガードインターバル長、Ｔsは有効シンボル長、Ｔ＝Ｔｇ＋Ｔｓであり、II（ｔ）は（４）式で表さ れる。
【数４】
2004112847.tif 000006
【００４４】
　（３）式中の受信信号ｒ（ｔ）は、無線伝搬路が無ひずみであるとすると、（５）式で表される。
【数５】
2004112847.tif 000007
【００４５】
　（５）式において、Δｆは周波数オフセット、Δθ0は位相オフセット、ｎ（ ｔ）は複素の白色ガウス雑音である。
【００４６】
　受信信号ｒ（ｔ）を、シンボル当たりＮサンプルで標本化した場合には、標本化出力系列は、ｒk＝ｒ（ｔk）となる。ただし、ｔk＝（ｋ／Ｔs）＋Ｔg＋Δτ 、ｋ＝０，１，…，Ｎ−１であり、Δτはタイミングオフセットである。
【００４７】
　パイロットシンボルにおいて伝送される信号は既知信号系列であるため、OFDM受信機１１で受信されるパイロットシンボルの時間波形は既知である。したがって、OFDM受信機１１は、予め用意しておいた時間波形と受信信号との相関演算を行うことによって、相関値列を得ることができる。例えば図３において、複素相関器３１〜３３から出力される信号列がこの相関値列に当る。
【００４８】
　図４は、複素相関器３１から出力される相関値列の例を示したものである。この相関値列は、無線伝搬路のインパルス応答に相当する。つまり、遅延プロファイルを表している。伝搬路が２パスでモデル化できる場合には、２つの相関ピークを観測することができる。
【００４９】
　パイロットシンボルにおいて伝送される信号を受信した信号と、受信機で予め用意しておいた信号との相関演算は、自己相関演算に相当する。図５に、この自己相関演算によって得られる系列を示す。自己相関演算によって得られる系列には、図５に示すような相関ピークが出現する。相関ピーク以外の部分は、相関サイドローブとなる。相関サイドローブの特性は、OFDM信号の時間波形の自己相関特性に依存する。
【００５０】
　図５の相関ピークは、受信信号に含まれる自己相関特性の良好な既知信号の位置を示しており、この位置を検出することで、バーストフレームの同期を確立することができる。
【００５１】
　なお、受信信号に含まれる自己相関特性の良好な既知信号を利用したピークサーチでは、周波数誤差があると、複素相関器３１〜３３の出力する信号レベルが低下し、同期特性が劣化してしまう。しかしながら、本実施形態におけるOFDM信号通信システムでは、図３に示すように、パイロットシンボルにおいて伝送される信号に対して、それぞれ異なる周波数オフセットを与えた信号を参照系列として複数の複素相関器３１〜３３に設定しているため、複数の周波数オフセットに対応した相関をとることで、周波数誤差の影響による相関出力レベルの低下を防止し、かつ同期特性の劣化を抑えることが出来る。
【００５２】
　パイロットシンボルにおいて伝送される信号に対して周波数オフセットｆkを 与えた参照系列ｄkは、（６）式で表される。
【数６】
2004112847.tif 000008
【００５３】
　（６）式において、ｕkは送信信号の離散値であり、ｕk＝ｓ(k/N)である。た だし、ＮはＦＦＴのポイント数である。
【００５４】
　パイロットシンボルにおいて伝送される信号に対して周波数オフセットｆkを 与えた参照系列と受信信号の相関出力との周波数応答ａ（Δｆ）は、（７）式で表される。
【数７】
2004112847.tif 000009
【００５５】
　（７）式において、ｄi*はｄiの複素共役である。ここで、雑音、サンプリン グのタイミングずれ、および位相オフセットの影響が無視できると仮定すると、（７）式は（８）式のように変形される。
【数８】
2004112847.tif 000010
【００５６】
　（８）式より、相関出力の周波数応答は、パイロットシンボルにおいて伝送される信号系列に依存することがわかる。
【００５７】
　（８）式において、|ｕ（ｉ）|2は送信信号系列の大きさを表し、exp(ｊ２π(Δｆ−ｆk)・ｉ／Ｎ)は参照系列ｄkとの周波数のずれを表している。周波数のずれを表すベクトルは、系列番号に応じて回転し、回転量は周波数のずれに依存する。すなわち、exp(ｊ２π(Δｆ−ｆk)・ｉ／Ｎ)が表現する系列は、向きが系列番号に応じて回転し、長さが送信信号系列の大きさであるベクトルである。
【００５８】
　図６は、（８）式に示す周波数応答、すなわち、パイロットシンボルにおいて伝送される信号に対して周波数オフセットΔｆを与えた参照系列と受信信号の相関出力の大きさ|ａ(Δｆ)|2の周波数応答の例を示す図である。ただし、図６に おいて、ｆkは０である。図６より、周波数オフセットが０の場合に、相関値は 最大になることがわかる。
【００５９】
　すなわち、図３に示す複数の複素相関器３１〜３３に、それぞれ異なる周波数オフセットを有する参照系列を設定したときに、各複素相関器３１〜３３から出力される、参照系列と受信信号との相関出力絶対値の最大値を検索し、最大値を出力した複素相関器に対応する周波数オフセットにより、OFDM送信信号のキャリア周波数とOFDM受信信号のキャリア周波数とのずれを検出することができる。
【００６０】
　図３における最大値検出部３４は、前述したサーチ手順を実行し、キャリア周波数の誤差信号と相関出力の最大値信号とを出力する。
【００６１】
　なお、図６では、パイロットシンボルにおいて伝送される既知信号系列が異なる２つの参照系列Ａ，Ｂと受信信号との相関出力の大きさ|ａ(Δｆ)|2の周波数 応答の例を示している。図６より、参照系列と受信信号の相関出力の大きさ|ａ(Δｆ)|2の周波数応答は、既知信号系列に依存することがわかる。
【００６２】
　図３において、最大値検出部３４に接続されたシフトレジスタ３５は、最大値検出部３４が出力した相関出力の最大値信号を順にシフトし、最大値検出部３６は、シフトレジスタ３５の各段の出力の中から最大値を検出する。この最大値は、前述した自己相関演算によって得られる系列の自己相関ピークを示しており、このピーク位置は、無線伝搬路を経て受信される信号のバーストフレームの基準タイミングを示している。
【００６３】
　最大値検出部３６は、検出されたバーストフレームの基準タイミングと、OFDM受信機１１のタイミングとの誤差であるタイミング誤差信号を出力する。また、最大値検出部３６は、最大値検出部３４で検出された相関出力の最大値を出力した複素相関器が出力した相関出力の最大値を検出し、相関出力の最大値が出力されるタイミングに対応する周波数オフセットを、周波数誤差信号として出力する。
【００６４】
　なお、ここで得られる周波数オフセット量は、複素相関器の個数に依存した離散値である。したがって、補間演算を行うことにより、周波数誤差信号の精度を向上させることができる。
【００６５】
　以上のような構成により、サンプリングタイミング誤差とキャリア周波数の誤差の検出が可能となり、信頼性の高い信号伝送が可能なOFDM信号通信システムを実現できる。
【００６６】
　前述したように、マルチメディア情報等を扱うOFDM信号通信システムでは、伝送される信号がバースト的に発生するため、バーストフレーム毎に短時間で同期を確立する必要がある。高速な初期同期のためには、ある程度の回路規模の増大は避けられないが、回路規模の増大は、製造コストの上昇につながるため、回路規模は、できるだけ小さくするのが望ましい。つまり、全体の回路負担に占める割合が比較的大きい複素のスライディング相関器を、如何にして簡易な構成とするかが重要な技術課題となる。
【００６７】
　そこで、以下に、図３に示す複素相関器の回路規模を低減する手法について説明する。以下に説明する手法は、パイロットシンボルにおいて伝送される信号に対して異なる周波数オフセットを与えた参照系列との相関演算に着目したものである。
【００６８】
　前述したように、パイロットシンボルにおいて伝送される信号に対して周波数オフセットΔｆを与えた参照系列と受信信号との相関出力ａ(Δｆ)は、前述した（８）式により表現できる。なお、説明を簡略化するため、（８）式では、雑音、サンプリングタイミングのずれ、および位相オフセットの影響が無視できると仮定している。
【００６９】
　周波数のずれを表すベクトルは、図７に示すように、パイロット信号の信号系列の系列番号に応じて回転し、回転量は周波数のずれに依存する。Δｆ＝１のとき、このベクトルは一回転する。すなわち、exp(ｊ２π(Δｆ−ｆk)ｉ/Ｎ)が表 現する系列は、向きが系列番号に応じて回転し、長さが送信信号系列の大きさであるベクトルである。
【００７０】
　ここで、|ｕ(ｉ)|2・exp(−ｊ２π(Δｆ−ｆk)ｉ／Ｎ)の特徴について考察す る。ベクトル軌跡の変化を理解しやすいように、送信信号系列の大きさ|ｕ(ｉ)|2の変化が小さい例を用いて説明する。
【００７１】
　図８および図９にベクトル軌跡の一例を示す。ＦＦＴのポイント数Ｎ＝６４、OFDM信号を構成するサブキャリアの数Ｎs＝４であり、図８はΔｆ＝0.25、図９ はΔｆ＝0.5である。
【００７２】
　ベクトル軌跡が図８および図９のようになることは、送信信号系列の大きさ| ｕ(ｉ)|2を観測すると理解できる。
【００７３】
　図１０は図８および図９に対応する送信信号系列の大きさ|ｕ(ｉ)|2を示す図 である。図１０の横軸はサンプル番号ｉであり、縦軸は|ｕ(ｉ)|2である。
【００７４】
　図８〜図１０より、|ｕ(ｉ)|2・exp(−ｊ２π(Δｆ−ｆk)ｉ/Ｎ)が表現する系列は、向きが系列番号に応じて回転し、長さが送信信号系列の大きさであるベクトルであることが確認できる。また、（８）式で示される相関出力ａ(Δｆ)は、これらの軌跡のベクトル和から算出される。
【００７５】
　ここで、図８および図９に示したベクトル軌跡の分布に着目する。図８および図９より、原点付近に多数の分布が存在することがわかる。このことは、送信信号系列の大きさ|ｕ(ｉ)|2の分布は、０付近が高く、|ｕ(ｉ)|2が大きい値をとる分布はわずかであることを示している。（８）式で示される相関出力ａ(Δｆ)は、これらの軌跡のベクトル和であるため、送信信号系列の大きさ|ｕ(ｉ)|2が大 きな値をとるときの影響が支配的となる。
【００７６】
　このため、本実施形態では、参照系列をいくつかの代表的なベクトルのみで表現する。
【００７７】
　図８および図９では、ベクトル軌跡の変化を理解しやすいように、送信信号系列の大きさ|ｕ(ｉ)|2の変化が小さい場合の例を示した。しかしながら、OFDMの 時間波形は、比較的変動が大きいという特徴を有している。逆に言うと、変化の小さいケースはまれである。
【００７８】
　図１１はQPSKマッピングされたデータを伝送した場合のベクトル軌跡の例を示す図である。図１１では、ＦＦＴのポイント数Ｎ＝３２、OFDM信号を構成するサブキャリアの数Ｎs＝３２である。図１１（ａ）はパイロットシンボルにおいて 伝送される信号に対して与えられる周波数オフセットΔｆ＝０．４の場合、図１１（ｂ）はΔｆ＝０．９の場合である。
【００７９】
　図１１より、送信信号系列の大きさ|ｕ(ｉ)|2の分布は、０付近が高く、|ｕ( ｉ)|2が大きい値をとる分布はわずかであることがわかる。
【００８０】
　本実施形態では、参照系列をいくつかの代表的なベクトルのみで表現する。以下、代表ベクトルの例を図１２および図１３を用いて説明する。
【００８１】
　図１２はランダムデータを伝送した場合のベクトル軌跡を示す図である。図１２は、ＦＦＴのポイント数Ｎ＝６４、OFDM信号を構成するサブキャリアの数Ｎs ＝６４、周波数オフセットΔｆ＝1.0の例を示している。図１２からも、送信信 号系列の大きさ|ｕ(ｉ)|2が大きな値となるベクトルはわずかであることがわか る。
【００８２】
　このため、本実施形態では、図１２のベクトルを図１３に示すような代表的なベクトルで表現する。すなわち、参照系列を図１３に示すような代表ベクトル以外を０としたベクトルで表現する。
【００８３】
　（複素相関器の第１の構成例）
　次に、図３に示す複素相関器３１〜３３の具体例について説明する。図１４は複素相関器の第１の構成例を示すブロック図である。図１４の複素相関器５０は、段数がＬのシフトレジスタ５１と、参照系列５２と、Ｍ個の複素乗算器５３と、各複素乗算器５３の出力を加算する加算器５４とを有する。
【００８４】
　参照系列５２は、パイロットシンボルにおいて伝送される信号の時間領域における大きさが大きな値をとる系列番号に対応した代表ベクトルである。乗算器５３は、前述した代表ベクトルの番号に対応する位置に配置する。図１４は、Ｌ＝６、代表ベクトルの番号が１、４、６である場合の例を示している。
【００８５】
　（複素相関器の第２の構成例）
　図１５は複素相関器の第２の構成例を示すブロック図である。図１５の複素相関器６０は、段数がともにＬであるシフトレジスタ（第２および第３の信号シフト手段）６１，６２と、Ｍ個の複素乗算器６３と、各複素乗算器６３の出力を加算する加算器６４とを有する。乗算器６３は、前述した代表ベクトルの番号に対応する位置に配置される。図１５は、Ｌ＝６、代表ベクトルの番号が１、４、６の場合の例を示している。
【００８６】
　図１５の複素相関器６０においても、乗算器６３の数を減らすことができるため、回路規模の増大を抑制でき、製造コストの削減が図れる。
【００８７】
　図１６は図１５の複素相関器６０を有するOFDM受信機１１の構成の一部を示すブロック図である。図１６のOFDM受信機１１は、OFDM受信信号を標本化する標本化器１９と、１シンボル遅延器（遅延手段）６５と、図１５の複素相関器６０とを有する。
【００８８】
　図１６のOFDM受信機１１では、複素相関器６０により、２つの連続するパイロットシンボルが配置されたバーストフレームデータの相関ピークを得ることができ、複素相関器６０から出力される信号の最大値をサーチすることで、バーストフレームを検出することができる。
【００８９】
　（複素相関器の第３の構成例）
　上述した図１４および図１５では、パイロットシンボルにおいて伝送される信号の時間領域における大きさが大きな値をとる代表ベクトルに対応して複素乗算器を配置する例を説明したが、パイロットシンボルにおいて伝送される信号として、巡回系列の信号を伝送すれば、複素乗算器を等間隔に配置することができる。
【００９０】
　以下、複素乗算器を等間隔に配置できるような既知信号系列について説明する。この既知信号系列は、パイロット信号が伝送されるタイミングで伝送されるものである。
【００９１】
　参照系列ｄkをいくつかの代表ベクトルで表現するために、既知信号系列とし て、周波数領域における位相配置がサブキャリアに対して巡回するように設定した系列を採用する。ここでは、このような系列を巡回系列と呼ぶ。
【００９２】
　巡回系列では、繰り返し周期をＩgとすると、既知信号系列｛Ｘk｝をIFFTした時間応答の系列｛ｘk｝は、Ｎ／Ｉgごとに値をもつようになる。
【００９３】
　すなわち、パイロットシンボルに巡回系列を用いることにより、複素乗算器の数を減らすことができ、回路規模の増加を極力抑えることができる。
【００９４】
　巡回系列は（９）式で表される。
【００９５】
　　Ｘk+1・Ｘk*＝exp(ｊφk modulo Ig)　　　…（９）
　ただし、ｋ（ｋ＝０，１，…，Ｎ−１)はサブキャリア番号、φiはサブキャリア間の位相変化である。
【００９６】
　（９）式を満足する系列は複数存在する。しかしながら、巡回系列では、特定サンプルに対して電力が集中するため、PAPR(Peak to Average Power Ratio)の 点からは不利である。PAPRが大きいということは、OFDM変調方式の欠点の一つである。PAPRは、電力効率の観点からはできる限り小さい方が望ましい。
【００９７】
　このため、各代表ベクトルに電力が等分配される巡回系列、すなわち、|ｘi|2＝Ｎ／Ｉgとなるような巡回系列を選ぶ必要がある。ここで、ｉは代表ベクトル の番号を、ＮはＦＦＴのポイント数を示す。巡回周期Ｉgは、代表ベクトルの数 に一致する。
【００９８】
　|ｘi|2＝Ｎ／Ｉgとなる系列の一例として、（１０）式がある。
【００９９】
　（φ0，φ1，φ2，…，φ15）
　＝(０,π/2,-π/2,π,π/2,-π/2,π,0,π,π/2,π/2,π,-π/2,-π/2,0,0)
　　　　　　　　　　　　　　　　　　　　　　　　　　　　　　…（１０）
　ここで、Ｉg＝１６、ＸkはQPSKマッピングとしている。
【０１００】
　この系列では、代表ベクトルの間隔は、等間隔(ｉ＝0,N/Ig,2・N/Ig,…,(Ig-1)・N/Ig)となる。
【０１０１】
　図１７は巡回系列のパイロット信号を用いた場合の複素相関器の第３の構成例を示すブロック図である。既知信号系列に巡回系列を用いると、その時間応答は、等間隔ごとに値を有するため、乗算器１０２は等間隔に配置される。図１７は、乗算器の数が４の場合の例を示している。なお、乗算器１０２の数は巡回周期Ｉgに一致する。すなわち、パイロットシンボルに巡回系列を用いることにより 、スライディング相関器における複素乗算器の数を減らすことができ、回路規模の増加を抑制できる。
【０１０２】
　次に、巡回系列のパイロット信号を送信する場合の複素相関器の構成について説明する。
【０１０３】
　（複素相関器の第４の構成例）
　図１８は複素相関器の第４の構成例を示すブロック図である。図１８の複素相関器７０は、段数がともにＬのシフトレジスタ７１，７２と、Ｍ個の複素乗算器７３と、各複素乗算器７３の出力を加算する加算器７４とを有する。乗算器７３は、代表ベクトルの番号に対応する位置に配置される。
【０１０４】
　パイロット信号は巡回系列であるため、図１８に示すように乗算器７３を等間隔に配置することができる。
【０１０５】
　図１８の複素相関器は乗算器７３，８５を等間隔に配置する以外は、図１５と同様に構成される。したがって、図１５と同様の作用・効果が得られる。
【０１０６】
　（複素相関器の第５の構成例）
　図１９は複素相関器の第５の構成例を示すブロック図である。図１９の複素相関器９０は、巡回系列のパイロット信号を伝送する場合の構成であり、入力系列を１：Ｋの率でパラレルに変換するシリアル／パラレル変換器９１と、段数がＭのシフトレジスタ９２と、Ｍ個の複素乗算器９３と、各複素乗算器９３の出力を加算する加算器９４と、参照系列９５とを有する。参照系列９５は、パイロットシンボルにおいて伝送される信号の時間領域における大きさが大きな値をとる系列番号に対応した代表ベクトルである。
【０１０７】
　図１９の複素相関器２０は、受信されたパイロット信号と参照系列との間で複素演算を行う点で、図１８の複素相関器２０と異なる。図１９の複素相関器９０の場合も、乗算器の数が少なくて済むため、回路規模の増大を抑制できるとともに、製造コストを削減できる。
【０１０８】
　（周波数誤差＆タイミング誤差推定器の他の構成例）
　図２０は周波数誤差＆タイミング誤差推定器の他の構成例を示すブロック図である。図２０の周波数誤差＆タイミング誤差推定器２０ａには、図１に示した標本化器１９から出力された信号が入力される。周波数誤差＆タイミング誤差推定器２０ａからは、局部発振器１８に供給される周波数誤差信号と、ＦＦＴ２１に供給されるタイミング誤差信号とが出力される。
【０１０９】
　図２０の周波数誤差＆タイミング誤差推定器２０ａは、シフトレジスタ３０と、複数の複素相関器３１〜３３と、最大値検出部３４と、比較器１１１と、平均受信電力測定部１１２とを有する。各複素相関器３１〜３３には、それぞれ異なる参照系列３７〜３９が設定される。各複素相関器３１〜３３は、シフトレジスタ３０から入力される信号と参照系列とを掛け合わせる複素乗算器４１と、複素乗算器４１の出力を加算する加算器４２とを有する。複素相関器３１〜３３に設定される参照系列３７〜３９は、パイロットシンボルにおいて伝送される信号に対して異なる周波数オフセットを与えた信号である。
【０１１０】
　最大値検出部３４は、各複素相関器３１〜３３から出力される相関値の最大値を検出し、相関値の最大値と、そのときの周波数オフセット量とを出力する。キャリア周波数の誤差は、最大値を出力した複素相関器に対応する周波数から検出できる。ここで得られる周波数オフセット量は、複素相関器の個数に依存した離散値である。このため、最大値を出力した複素相関器と、その複素相関器に隣接する複素相関器からの出力を用いた補間により、周波数誤差を得る。
【０１１１】
　複数の複素相関器の各出力信号の最大値を検出することにより、受信信号に含まれる自己相関特性の良好な既知信号の位置を検出でき、これにより、バーストフレームの同期を確立することができる。
【０１１２】
　最大値検出部３４から出力された相関値および周波数オフセット量は、比較器１１１に入力される。比較器１１１には、平均受信電力測定部１１２の出力信号が入力される。平均受信電力測定部１１２には、図１に示した標本化器１９が出力する信号が入力され、平均受信電力値が出力される。平均受信電力測定部１１２は、受信信号の平均電力を測定する。比較器１１１は、受信信号の平均電力の情報に基づいて比較値を設定し、この比較値と、最大値検出部３４から出力された相関値の最大値との比較演算を行う。
【０１１３】
　この比較演算により、比較器１１１は、受信信号に含まれる自己相関特性の良好な既知信号の位置と内部クロックとの誤差を求め、その誤差値をタイミングオフセットとして出力する。複素相関器３１〜３３から出力される相関出力の絶対値が大きいほど、平均電力は大きくなるため、図示の比較器１１１は、平均電力測定部１１２で測定された電力が予め設定された比較値以上になったときを基準として周波数誤差信号と相関出力最大値信号を出力する。
【０１１４】
　図２０のような構成により、サンプリングタイミング誤差とキャリア周波数誤差の検出が可能になり、信頼性の高い信号伝送が可能なOFDM信号受信装置を実現することができる。
【０１１５】
　上述した実施形態では、最大値検出部３６から周波数誤差信号とタイミング誤差信号を出力する例を説明したが、周波数誤差信号のみを出力してキャリア周波数の誤差調整のみを行ってもよい。
【図面の簡単な説明】
【０１１６】
【図１】本発明に係るOFDM信号受信装置を備えたOFDM信号通信システムの一実施形態のブロック図。
【図２】OFDM送信機から送信されるOFDM信号のバーストフレームのデータ構成を示す図。
【図３】図１に示した周波数誤差＆タイミング誤差推定器の内部構成を示すブロック図。
【図４】複素相関器から出力される相関値列の例を示す図。
【図５】自己相関演算によって得られる系列を示す図。
【図６】パイロットシンボルにおいて伝送される信号に対して周波数オフセットΔｆを与えた参照系列と受信信号の相関出力の大きさ|ａ(Δｆ)|2の周波数応答の例を 示す図。
【図７】周波数のずれを表すベクトルを示す図。
【図８】Δｆ＝0.25の場合のベクトル軌跡の一例を示す図。
【図９】Δｆ＝0.5の場合のベクトル軌跡の一例を示す図。
【図１０】図８および図９に対応する送信信号系列の大きさ|ｕ(ｉ)|2を示す図。
【図１１】QPSKマッピングされたデータを伝送した場合のベクトル軌跡の例を示す図。
【図１２】ランダムデータを伝送した場合のベクトル軌跡を示す図。
【図１３】代表ベクトル以外を０としたベクトル軌跡を示す図。
【図１４】複素相関器の第１の構成例を示すブロック図。
【図１５】複素相関器の第２の構成例を示すブロック図。
【図１６】図１５の複素相関器を有するOFDM受信機の構成の一部を示すブロック図。
【図１７】パイロット信号に巡回系列を用いた場合の複素相関器の第３の構成例を示すブロック図。
【図１８】複素相関器の第４の構成例を示すブロック図。
【図１９】複素相関器の第５の構成例を示すブロック図。
【図２０】周波数誤差＆タイミング誤差推定器の他の構成例を示すブロック図。
【図２１】送信側に用いられるOFDM変調装置の構成を示すブロック図。
【図２２】ガードインターバルを説明する図。
【図２３】受信側に用いられるOFDM復調装置の構成を示すブロック図。
【図２４】文献に記載された周波数オフセット検出・除去方式を示す図。
【符号の説明】
【０１１７】
１０　OFDM送信機
１１　OFDM受信機
１２　逆高速フーリエ変換器（ＩＦＦＴ）
１３，１７　周波数変換器
１４，１８　局部発振器
１５，１６　アンテナ
１９　標本化器
２０　タイミング誤差推定器
２１　高速フーリエ変換器（ＦＦＴ）
３０，３５　シフトレジスタ
３１〜３３　複素相関器
３４，３６　最大値検出部
３７〜３９　参照系列
４０　複素乗算器
４１　加算器
【図１】
2004112847.tif 000011
【図２】
2004112847.tif 000012
【図３】
2004112847.tif 000013
【図４】
2004112847.tif 000014
【図５】
2004112847.tif 000015
【図６】
2004112847.tif 000016
【図７】
2004112847.tif 000017
【図８】
2004112847.tif 000018
【図９】
2004112847.tif 000019
【図１０】
2004112847.tif 000020
【図１１】
2004112847.tif 000021
【図１２】
2004112847.tif 000022
【図１３】
2004112847.tif 000023
【図１４】
2004112847.tif 000024
【図１５】
2004112847.tif 000025
【図１６】
2004112847.tif 000026
【図１７】
2004112847.tif 000027
【図１８】
2004112847.tif 000028
【図１９】
2004112847.tif 000029
【図２０】
2004112847.tif 000030
【図２１】
2004112847.tif 000031
【図２２】
2004112847.tif 000032
【図２３】
2004112847.tif 000033
【図２４】
2004112847.tif 000034